(57)【要約】【課題】大きな設置スペースを必要とせず、栽培容器の収容されたコンテナの供給と受取りが簡単な掻き出し装置を提供することにある。【解決手段】コンテナ１１ごと倒立状態にある複数の栽培容器１０内にそれぞれ回転する掻き出し刃３６を挿入して、栽培容器１０内から菌或いは培基を掻き出す掻き出し装置であって、回転軸２１と、回転軸２１に固定された載置部２０ａとの間で複数の栽培容器１０をコンテナ１１ごと挟み込んで固定する保持部２７とを有し、複数の栽培容器１１が、載置部２０ａと保持部２７との間で固定された状態で、回転軸２１がその軸線を中心に１８０度回転することにより、複数の栽培容器１１が反転可能であることを特徴とする。【選択図】図１
2006081503.tif 000002
【特許請求の範囲】
【請求項１】
コンテナごと倒立状態にある複数の栽培容器内にそれぞれ回転する掻き出し刃を挿入して、栽培容器内から菌或いは培基を掻き出す掻き出し装置であって、
回転軸と、
該回転軸に固定された載置部との間で複数の栽培容器をコンテナごと挟み込んで固定する保持部とを有し、
前記複数の栽培容器が、載置部と保持部との間で固定された状態で、回転軸がその軸線を中心に１８０度回転することにより、前記複数の栽培容器が反転可能であることを特徴とする掻き出し装置。
【発明の詳細な説明】
【技術分野】
【０００１】
本発明は、きのこの栽培容器から菌、或いは培基を掻き出す際に使用する掻き出し装置に関するものである。
【背景技術】
【０００２】
エノキタケ、ホンシメジ等のきのこの人工栽培では、おが屑、コヌカ等を主体とする培基をきのこ栽培用の容器（栽培容器）に充填して種菌を接種し、菌糸培養を行う栽培方法が普及している。
この人工栽培方法では、まず培基が充填された栽培容器にキャップを被せ、栽培容器ごと殺菌処理をする。それから、栽培容器内の培基に種菌を接種した後、所定の温度と湿度の培養室内で菌を培養する。菌糸が栽培容器内に蔓延したところで培基表面の古い菌を掻き出す菌掻きを行い、その後、所定温度、湿度の発生室にて栽培容器の開口部から外方へ子実体を生長させ、これを収穫する。きのこ収穫後は、栽培容器を再使用するため内部の使用済みの培基を掻き出す作業を行う。
【０００３】
上記栽培方法では、菌掻き作業と、使用済みの培基を掻き出す作業の２回、栽培容器内部から菌或いは培基を掻き出すという作業が行われる。従来、このような作業は、機械化されて効率良く行われている。
例えば、使用済みの培基を栽培容器内から掻き出すための装置として、特許文献１に記載のものがある（図３参照）。
複数本の掻き出し刃８１は、昇降台８２上に立設されており、それぞれ軸線を中心として回転可能となっている。
複数個の栽培容器８７はコンテナに収容されて、コンテナごとコンテナ固定部８５、８６に保持される。また、２個のコンテナ固定部８５、８６は、それぞれ回転軸８３、８４を中心として反転するようになっている。
【０００４】
図３に示すようにコンテナ固定部８５が掻き出し刃の側方に位置しているときは、コンテナ固定部８６は掻き出し刃の上方に位置し、コンテナ固定部８６が上方から掻き出し刃の側方へ反転すると、同時にコンテナ固定部８５が側方から上方へと連動して反転する。こうして、両者の位置が逆転するようになっている。
コンテナ固定部が掻き出し刃８１の側方にあるときは、コンテナ固定部に保持されている栽培容器８７は、開口部を上方に向けて保持される。コンテナ固定部が掻き出し刃の上方にあるときは、栽培容器８７は、開口部を下方に向けて倒立した状態で保持される。
【０００５】
上記装置によれば、掻き出し刃の側方にあるコンテナ固定部に複数の栽培容器をコンテナごと保持させ、このコンテナ固定部を反転させた後、掻き出し刃を上昇させて回転させることにより、栽培容器内の培基が掻き出され、回収できる。
これによれば、一方のコンテナ固定部の栽培容器から培基を掻き出している間に、他方のコンテナ固定部に栽培容器の収納されたコンテナを保持させることができ、掻き出し作業を次々に連続して行うことができて効率が良いという利点がある。
【特許文献１】特公平４−３１６７号公報
【発明の開示】
【発明が解決しようとする課題】
【０００６】
ところで、上記の培基掻き出し装置によると、掻き出し刃が昇降自在に設けられている装置本体の、左右両側方にコンテナ固定部が張り出す構成となっているので、大きな設置スペースを必要とするという問題がある。
さらに、上記培基掻き出し装置は、装置本体の両側それぞれにおいて、装置に対するコンテナの供給と、装置から排出されるコンテナの受取りの両方をしなければならない。従って、培基掻き出し装置に対するコンテナの供給や受取りを、供給装置や受取り装置を接続して自動化することが困難であった。
【０００７】
そこで、本発明は上記課題を解決すべくなされたものであり、その目的とするところは、大きな設置スペースを必要とせず、栽培容器の収容されたコンテナの供給と受取りが簡単な掻き出し装置を提供することにある。
【課題を解決するための手段】
【０００８】
本発明は上記目的を達成するため次の構成を備える。
すなわち、本発明は、コンテナごと倒立状態にある複数の栽培容器内にそれぞれ回転する掻き出し刃を挿入して、栽培容器内から菌或いは培基を掻き出す掻き出し装置であって、回転軸と、該回転軸に固定された載置部との間で複数の栽培容器をコンテナごと挟み込んで固定する保持部とを有し、前記複数の栽培容器が、載置部と保持部との間で固定された状態で、回転軸がその軸線を中心に１８０度回転することにより、前記複数の栽培容器が反転可能であることを特徴とする。
【発明の効果】
【０００９】
本発明によれば、菌或いは培基を栽培容器から効率良く掻き出すことが出来る上に、設置スペースをとらず、栽培容器の収容されたコンテナの装置への供給と装置からの排出が簡単にできる。
【発明を実施するための最良の形態】
【００１０】
以下、本発明による掻き出し装置の好適な実施の形態を図１、図２に基づいて詳細に説明する。図１は掻き出し装置の正面図であり、図２はその側面図である。
この掻き出し装置は、栽培容器内の培基表面の古い菌を掻き出すための菌掻き装置である。
図１に示されるように、きのこの栽培に用いられる栽培容器１０は、瓶型に形成され、瓶肩部１０ａから連続して上方に形成される瓶首部１０ｂの上部が開口して開口部１０ｃとなっている。菌掻き装置において栽培容器１０の取扱いは、複数個の栽培容器１０が収容されるコンテナ単位で行われる。例えば、１個のコンテナ１１には、縦４個×横４個の合計１６個の栽培容器１０が収容される。
【００１１】
菌掻き装置１５は、本体フレーム１２、反転機構１３、保持機構、昇降機構及び掻き出し機構１４を有する。
本体フレーム１２は、脚部１６と、脚部１６上に載置されて設けられた台１７を有する。脚部１６にはキャスター１８が固定されて、菌掻き装置１５は移動可能となっている。
反転機構１３、保持機構及び昇降機構が台１７の上方に設けられるのに対し、掻き出し機構１４は主に台１７より下方に配置される。
反転機構１３は、コンテナ１１内に収容されている複数の栽培容器１０を、コンテナ１１ごと反転するものである。反転により、開口部１０ｃを上方に向けた状態（通常の起立状態）の栽培容器は、開口部１０ｃが下方に向く倒立状態となり、倒立状態の栽培容器は通常の起立状態となる。
【００１２】
保持機構は、反転機構による反転の際に、栽培容器が落下しないよう栽培容器を保持するために設けられる。
昇降機構は、栽培容器をコンテナごと昇降移動させるもので、掻き出し機構に対して栽培容器を接近させたり離間させる動作をなす。
掻き出し機構１４は、倒立状態となっている複数の栽培容器１０から同時に古い菌を掻き出し、除去するものである。
【００１３】
まず、保持機構について説明する。
回転軸２１には、回転軸２１上に複数の栽培容器１０を収容したコンテナ１１を載置可能に支持する支持部２０が固定されている。
具体的には、支持部２０は、複数枚の板部材２２が、隣合うもの同士の面を対向させる姿勢で、等間隔あけて平行に並べられて構成される。そして、複数枚の板部材２２と回転軸２１は、回転軸２１が、平行に並んだ複数の板部材２２のそれぞれの中央を貫通する状態で一体化されている。複数の板部材２２の両側端面２２ａは、コンテナが複数の側端面２２ａ上にわたって載置可能なように、回転軸の両側でそれぞれ同じ面上に位置するように揃えられて２つの載置部２０ａが形成される。同一形状に設けられる２つの載置部２０ａは、互いが回転軸２１の軸線を中心に１８０度回転した位置関係にある。
この２つの載置部２０ａにより、回転軸２１の上方及び下方でコンテナを載置可能となっている。
【００１４】
保持機構は、平面形状四角形の板状の２枚の保持部２７を有する。保持部２７は、栽培容器を反転させる際に栽培容器をコンテナごと、回転軸２１の載置部２０ａとの間で挟み込んで固定する作用をなす。
従って、同一形状の２枚の保持部２７、２７は、互いに面を対向させる姿勢で回転軸を挟んで反対側に、回転軸に対して平行に配置される。また、２枚の保持部２７、２７は、それぞれ載置部２０ａ、２０ａに対向している。
このように配置される２枚の保持部２７、２７はそれぞれ、回転軸２１に固定されたエアシリンダ４０の２本のロッド４０ａと、４本のスライドシャフト５０によって支持されている。
また、保持部２７、２７には、貫通する複数の挿入穴４２が設けられている。挿入穴４２は、回転軸２１側が拡径したテーパ状に形成される。そして、挿入穴４２は、コンテナ１１内に収容される栽培容器１０に対応して設けられ、栽培容器と同じ数が同じ配列で保持部に形成され、栽培容器１０の瓶首部１０ｂが進入可能であり、テーパー壁面で栽培容器の瓶肩部１０ａを押圧可能となっている。
【００１５】
４個のエアシリンダ４０、４０は、固定用フレーム４１を介して回転軸２１に固定されている。
固定用フレーム４１は、板部材が断面コの字状に曲折されて形成されている。そして、所定間隔あけて互いに平行に配設される２枚の固定用フレーム４１、４１のそれぞれの中央を貫通するように回転軸２１が設けられて、回転軸２１と固定用フレーム４１、４１は一体化されている。この際、２枚の固定用フレーム４１、４１は、後述する２個のベアリングユニット２３、２３の間に位置している。
１枚の固定用フレーム４１に対して２個のエアシリンダ４０が、固定用フレーム４１のコの字の内側で固定される。同じ固定用フレーム４１に固定される２個のエアシリンダ４０は、各々のロッド４０ａが固定用フレーム４１の上壁部４１ａ或いは下壁部４１ｂを貫通して、互いに逆方向へ伸縮自在となるように配設される。こうして、４個のエアシリンダ４０の各ロッド４０ａは、回転軸２１の軸線に対して垂直で、互いに平行に伸縮自在に配設される。また、４個のエアシリンダ４０の４本のロッド４０ａは、回転軸に対して同じ方向にあり、同じ方向へ伸縮する２本の平行なロッド４０ａを１組とすると、この組が２組形成されることとなる。このロッド４０ａの組ごとに１枚の保持部２７が支持される。ロッド４０ａの先端がそれぞれ支持する保持部２７に固定されて、ロッド４０ａが組ごとに同一距離だけ伸縮することで、これに支持される保持部２７は、回転軸２１との間の距離が変更される。
【００１６】
さらに、保持部２７が、回転軸２１との間の距離を変更する際に、回転軸２１に対して平行な姿勢を保持できるように、保持部２７の４隅側でスライドシャフト５０が保持部２７を支持している。４本のスライドシャフト５０は、回転軸２１に対して垂直で、互いに平行に設けられ、回転軸２１に対して同じ方向にある端部側同士で、保持部２７を１枚ずつ支持している。
４本のスライドシャフト５０は、それぞれ固定用フレームを介して回転軸に取りつけられている。
詳しくは、２枚の固定用フレーム４１には、それぞれ２本ずつスライドシャフト５０が、固定用フレームを貫通して、固定用フレームに対して摺動可能に配設されている。つまり、４本のスライドシャフトはそれぞれ、対応する固定用フレーム４１の上壁部４１ａ、下壁部４１ｂに固定されたスライドブッシュ５１に摺動可能に嵌合されている。
そして、２枚の保持部２７、２７、の４隅側で、４本のスライドシャフトがそれぞれ摺動可能に貫通、或いは固定されている。保持部の４隅のうち、同じ対角線上にある２隅側には、スライドシャフトが嵌合されるスライドブッシュ５２が固定されている。他方の２隅側には、スライドシャフトの先端が固定されている。つまり、スライドシャフト５０は、一方の保持部に対しては、一端部で固定され、他方の保持部に対しては、他端部側が他方の保持部に固定されたスライドブッシュ５２に摺動可能に嵌合されている。
【００１７】
上記構成によれば、複数の栽培容器が収容されたコンテナを回転軸２１に固定された載置部２０ａと保持部２７との間の空間に挿入し、２個のエアシリンダの各ロッドを縮退させることで、保持部が回転軸側に移動し、複数の栽培容器の瓶首部が保持部の対応する挿入穴４２に進入し、テーパー壁面で各瓶肩部が押圧されて、複数の栽培容器をコンテナごと載置部２０ａと保持部２７との間で保持できる。
この際、回転軸側に移動した一方の保持部に一端部が固定されている２本のスライドシャフト５０は、一方の保持部と共に移動して、他方の保持部に固定されたスライドブッシュ５２に対して摺動し、他端部側が他方の保持部からさらに外方へと突出する。他方の保持部に一端部が固定されている２本のスライドシャフト５０に対しては、一方の保持部が移動することにより一方の保持部に固定されたスライドブッシュ５２が他端部側で摺動する。
こうして、保持部２７は４本のスライドシャフトにガイドされながら、回転軸に対して平行な姿勢を維持した状態で、回転軸との間の距離を変更することができる。
栽培容器を挟み込んで保持する保持機構は、回転軸２１の両側方に同一形状に設けられ、栽培容器を収容したコンテナを回転軸の両側でそれぞれ保持できるようになっている。この保持機構は、後述する反転機構によって回転軸と共に回転軸の軸線を中心として回転し、さらに昇降機構によって回転軸と共に昇降移動可能となっている。
【００１８】
次に反転機構１３について説明する。
回転軸２１は、その両端部側にそれぞれ配設されるベアリングユニット２３に回転可能に軸支されている。
２個のベアリングユニット２３はそれぞれ、板材が断面Ｌ字状に曲折されて形成された昇降フレーム２６、２６の上面に載置され、固定されている。一方の昇降フレーム２６の下部側には、回転軸を回転駆動するモータ４３が固定されている。回転軸に外嵌されたスプロケットと、モータ４３の回転軸に固定されたスプロケットにチェーンが掛け渡されて回転軸２１がモータ４３により一定方向に回転駆動される。
【００１９】
昇降機構について説明する。
図２に示されるように２個の昇降フレーム２６、２６の両側部側にはそれぞれ、リニアブッシュ２５が固定されている。
これに対して、本体フレームの４隅側には、４本の案内シャフト２４が立設されており、この４本の案内シャフト２４がそれぞれリニアブッシュ２５に摺動可能に嵌合されている。
さらに、ベアリングユニット２３より外側の、回転軸２１の両端部には、それぞれクランクアーム３７が連結されている。この２本のクランクアーム３７、３７は、本体フレームの上部に載置されている電動モータ３９の回転軸にそれぞれクランクシャフト３９ａを介して連結されている。こうして、回転軸２１は、クランクアーム３７、３７、クランクシャフト３９ａ、３９ａを含む２つのクランク機構３８、３８を介して電動モータ３９の駆動により、昇降移動可能となっている。回転軸２１の昇降移動は、回転軸２１と共に昇降移動するリニアブッシュ２５が、案内シャフト２４に対して摺動することで４本の案内シャフト２４によってガイドされる。この回転軸２１が昇降移動することによって、回転軸２１の載置部２０ａと保持部２７との間に保持されている２つのコンテナも同時に昇降移動される。
【００２０】
上記構成からなる菌掻き装置１５は、栽培容器１０を反転する以外の通常の状態では、２つの載置部２０ａは回転軸２１に対して上下に位置し、エアシリンダ４０のロッド４０ａが上下方向に伸縮可能な状態で、回転軸２１の回転が停止している。
この状態の菌掻き装置には、上下２枚の保持部、エアシリンダの４本のロッド及び４本のスライドシャフト５０により、枠状に囲まれる保持空間３３が形成される。保持空間３３の一方の開口部の、載置部より上方は、搬入口３４となり、他方の開口部の載置部より上方の、搬入口３４の反対側は搬出口３５となっている。
【００２１】
次に掻き出し機構について説明する。
台１７には、コンテナ１１に収容される栽培容器１０に対応して、栽培容器の数と同じ数の貫通穴１７ａが栽培容器と同じ配列で設けられている。台１７上には、同じくコンテナ１１に収容される栽培容器１０に対応して、栽培容器１１と同じ数の容器受け４４が、栽培容器１１と同じ配列で設けられている。容器受け４４は、筒部と、筒部の上部から徐々に上方へと拡径して形成される拡径部からなり、上下に貫通する挿通穴を有している。
【００２２】
そして、貫通穴１７ａと容器受け４４の挿通穴は、対応するどうしが連通している。
本体フレーム１２の脚部１６に囲まれる空間１９内には、支持フレーム２８が設けられている。支持フレーム２８の下部側には、２個のエアシリンダ４６、４６が固定され、この２個のエアシリンダ４６の下方に向けて伸縮自在なロッド４６ａ、４６ａの先端が、下部フレーム４７に固定されている。下部フレーム４７は、脚部１６の下部側に水平に掛け渡されて固定されており、２本のロッドの伸縮によって、支持フレーム２８が昇降移動する。このとき、支持フレーム２８は、脚部１６に沿って設けられるガイド部４５にガイドされて昇降移動する。
【００２３】
支持フレーム２８の上部を構成する支持台２９には、複数の回転駆動体３０が立設されている。複数の回転駆動体３０は、コンテナ１１に収容される栽培容器１０に対応して設けられ、栽培容器と同じ数が栽培容器と同じ配列で配設されている。支持台２９を貫通して下方に伸びる回転駆動体３０の下部には、スプロケット３１が固定され、さらに、支持フレーム２８の下部側に固定されるモータ３２の回転軸にもスプロケットが固定されている。モータの分も含めたこれら複数のスプロケットにチェーンが掛け渡されて、複数の回転駆動体３０は、モータ３２の駆動により、その軸線を中心に同一方向に一斉に回転する。
【００２４】
支持台２９の上方に突出する回転駆動体３０の上部側には、掻き出し刃３６が取り付けられ、掻き出し刃は、回転駆動体３０と共に回転可能となっている。掻き出し刃３６は、その柄の部分と回転駆動体３０との間につるまきバネが掛け渡されていて、その刃部が回転駆動体の外方へと付勢されている。掻き出し刃３６は、支持フレームが下降している待機状態のときは、台１７に設けられた貫通穴１７ａ内に挿入されており、貫通穴１７ａの内壁面に刃部が当接して、つるまきバネの付勢による外方への倒れ込みが防止されている。
【００２５】
次に、上記構成からなる菌掻き装置１５の動作について説明する。
まず、待機状態にある掻き出し装置に対して、複数の栽培容器の収容されたコンテナ１１を、供給装置４８上から搬入口３４を経て載置部２０ａ上へと搬入する。
待機状態とは、回転軸２１の上方の２本のロッド４０ａを上方へと突出させ、回転軸の下方の２本のロッド４０ａを縮退させた状態で、搬入口３４が広がっており、下方側の載置部と保持部との間の距離が縮められている状態である。また、このとき回転軸２１は、２枚の保持部と共に、クランク機構によって下降した位置にある。
【００２６】
栽培容器の搬入は、使用者が直接行っても良いが、上記のようにベルトコンベア等によって構成される供給装置４８を搬入口３４側に接続し、栽培容器が収容されたコンテナの搬入が間欠的に自動的に行われるようにするとよい。
待機状態の菌掻き装置１５に対して、栽培容器が収容された１個のコンテナが載置部上に載置されたら、左右のクランク機構により、回転軸を上昇させる。
回転軸の上昇と同時に、上方の２本のロッドを縮退させて、保持部２７を載置部２０ａに近づける。すると、複数の挿入穴４２内にそれぞれ栽培容器の瓶首部１０ｂが挿入されて、瓶肩部１０ａに保持部２７が当接し、開口部１０ｃは保持部２７の上方で開口する状態となる。
【００２７】
こうして、複数の栽培容器はコンテナごと、載置部と保持部とによって挟みこまれる状態となる。この状態を保持しながら、モータ４３を駆動して回転軸を１８０度回転させる。これにより、栽培容器はコンテナごと反転し、開口部１０ｃが下方に向く倒立状態となるが、回転軸の載置部と保持部によって挟み込まれているので、落下が防止される。
その後、クランク機構により回転軸２１を下降させる。これにより、倒立した栽培容器の開口部１０ｃは、対応する容器受け４４内に進入する。
この状態で、下降した位置にあった支持フレーム２８を上昇させることにより、複数の掻き出し刃３６を、それぞれ対応する栽培容器の瓶首部内へ開口部１０ｃを介して挿入する。貫通穴の内壁面に当接していた掻き出し刃は、つるまきバネの付勢によって栽培容器の内壁面に対して倒れ込むように当接する。
【００２８】
掻き出し刃が栽培容器内へ挿入されたら、モータ３２を駆動して掻き出し刃を回転させる。こうして、栽培容器の瓶首部内壁面に当接している掻き出し刃によって、菌床面及び瓶首部内に付着している古い菌を強力に掻き出して落下させることができる。
このように菌掻き作業を行っている一方で、回転軸の上方にある２本のロッドを突出させて、載置部と保持部との間の距離を広げ、後続の栽培容器をコンテナごと、搬入口３４を介して載置部上に載置する。
先行の栽培容器に対して、所定時間掻き出し刃を回転させて菌掻き作業が終了したら、支持フレームを下降させて掻き出し刃を栽培容器内から引き抜く。
【００２９】
そして、前記同様に、回転軸をクランク機構によって上昇させながら、回転軸の上方の２本のロッドを縮退させて、後続の栽培容器をコンテナごと載置部と保持部の間に挟み込んで固定する。
この状態で、回転軸をモータ４３によって１８０度回転させることで、後続の栽培容器が倒立状態となり、先行の栽培容器は、開口部１０ｃが上方を向く状態（通常の起立状態）に戻る。
【００３０】
その後、回転軸をクランク機構により下降させて、後続の栽培容器に対して前述同様の動作により、菌掻き作業を行う。そして、菌掻き作業を行っている間に、先行の栽培容器（１個目のコンテナ内に収容されている）と取り換えるように、次の栽培容器（３個目のコンテナ内に収容されている）を載置部上に載置する。つまり、菌掻き作業を行っている間の時間内で、前述同様、回転軸の上方にある２本のロッドを突出させて、載置部２０ａと保持部２７との間の距離を広げ、先行の栽培容器をコンテナごと搬出口３５から搬出する。そして、先行の栽培容器（１個目のコンテナ内に収容されている）と取り換えるように、次の栽培容器（３個目のコンテナ内に収容されている）を搬入口３４を介して搬入し、載置部２０ａ上に載置する。
このとき、３個目のコンテナの搬入によって、１個目のコンテナを押し出して、搬出口３５から外方へ搬出してもよい。また、搬出口３５側に受取り装置４９を接続して、搬出されたコンテナ１１が自動的に受け取られて移送されるようにしてもよい。
上記動作を繰り返すことで、多数の栽培容器に対して次々に菌掻き作業を行うことができる。
【００３１】
この実施形態では以下のような効果を得ることができる。
先行の栽培容器の掻き出し作業を行っている間に、後続の栽培容器を装置内に搬入することができ、作業効率があがる。
また、コンテナの搬入口と搬出口が１つずつ設けられ、コンテナの流れが一定方向なので、供給装置や受取り装置を連結して、コンテナの供給や受取りを簡単に自動化することができる。
また、回転軸２１を１８０度回転させることで、上下のコンテナがその位置で反転するので、従来技術で述べた培基掻き出し装置の、左右両側方にコンテナ固定部が張り出す構成に比べて、設置スペースを小さくすることができる。
【００３２】
以上、本発明につき好適な実施形態を挙げて説明したが、本発明はこの実施形態に限定されるものではなく、発明の精神を逸脱しない範囲内で多くの改変を施し得るのは勿論である。例えば、次のように変更してもよい。
菌掻き装置を実施形態として挙げて説明したが、本発明による掻き出し装置は、きのこ収穫後の培基掻き出し装置としても使用できる。この場合、掻き出し刃が、栽培容器の底部側へ深く入り込むように構成すると、栽培容器内に培基を残すことなくきれいに除去することができる。
【図面の簡単な説明】
【００３３】
【図１】本発明による掻き出し装置の正面図である。
【図２】本発明による掻き出し装置の側面図である。
【図３】従来の培基掻き出し装置の概略図である。
【符号の説明】
【００３４】
１０    栽培容器  
１１    コンテナ    
１４    掻き出し機構  
１５    菌掻き装置  
１６    脚部    
２０ａ  載置部  
２１    回転軸  
２７    保持部  
３８    クランク機構
４０    エアシリンダ  
【図１】
2006081503.tif 000003
【図２】
2006081503.tif 000004
【図３】
2006081503.tif 000005